(57)【要約】【課題】    顧客が指定した条件に応じて印字色を変更することのできる通帳印字システムを提供する。【解決手段】  多色印字可能な印字ヘッド４、及び挿入された通帳の情報を読み取る読み取り装置２を備えた通帳プリンタ２４と、顧客の取引内容を順次取得して格納すると共に、顧客の取引内容毎に通帳の印字に使用する印字色を登録した上位装置１を備え、該上位装置は、前記取得した取引内容と、取引内容毎に使用する前記登録した印字色とを対比し、取得した取引内容が登録した印字色に一致するとき、前記取引内容を登録した印字色での印字を指示する。【選択図】  図１
2005165758.tif 000002
【特許請求の範囲】
【請求項１】
多色印字可能な印字ヘッド、及び挿入された通帳の情報を読み取る読み取り装置を備えた通帳プリンタと、
顧客の取引内容を順次取得して格納すると共に、顧客の取引内容毎に通帳の印字に使用する印字色を登録した上位装置を備え、
該上位装置は、前記取得した取引内容と、取引内容毎に使用する前記登録した印字色とを対比し、取得した取引内容が登録した印字色に一致するとき、前記取引内容を登録した印字色での印字を指示することを特徴とする通帳印字システム。
【請求項２】
多色印字可能な印字ヘッド、及び挿入された通帳の情報を読み取る読み取り装置を備えた通帳プリンタと、
顧客の取引内容を順次取得して格納すると共に、顧客の取引内容毎に通帳の印字に使用する印字色を登録した上位装置を備え、
該上位装置は、前記取得した最新の取引内容と、以前に取得した取引内容とを対比し、前記最新の取引内容に含まれる取引先が以前に取得した取引内容に含まれる取引先に一致しないとき、予め登録した印字色での印字を指示することを特徴とする通帳印字システム。
【請求項３】
多色印字可能な印字ヘッド、及び挿入された通帳の情報を読み取る読み取り装置を備えた通帳プリンタと、
顧客の取引内容を順次取得して格納すると共に、通帳種別、口座種別を含む顧客の取引内容毎に通帳の印字に使用する印字色を登録した上位装置を備え、
該上位装置は、前記取得した通帳種別、口座種別を含む取引内容と、取引内容毎に使用する前記登録した印字色とを対比し、取得した取引内容が登録した印字色に一致するとき、前記取引内容を登録した印字色での印字を指示することを特徴とする通帳印字システム。
【発明の詳細な説明】
【技術分野】
【０００１】
本発明は、通帳印字システムに係り、多色印字可能なプリンタを備えた通帳印字システムに関する。
【背景技術】
【０００２】
例えば、特許文献１には、顧客の指示により取引内容毎に印字色を変えて印字することにより、使用目的が判別しやすい記帳を可能とし、また、顧客へのサービス向上を図ることのできる自動取引装置が示されている。
【特許文献１】特開平８−２８７３１９号公報
【発明の開示】
【発明が解決しようとする課題】
【０００３】
しかし、従来技術においては、印字する色の指定に際して、エンドユーザは自動取引装置の操作誘導ガイダンスにしたがって操作することが必要であり、前記取引装置の操作時間が長期化する。また、印字色の選択は取引毎であり、取引の中における印字内容の一部の色変更、あるいは取引の条件によって印字色を変更すること等は考慮されていない。
【０００４】
本発明はこれらの問題点に鑑みてなされたもので、顧客が指定した条件に応じて印字色を変更することのできる通帳印字システムを提供する。
【課題を解決するための手段】
【０００５】
本発明は上記課題を解決するため、次のような手段を採用した。
【０００６】
多色印字可能な印字ヘッド、及び挿入された通帳の情報を読み取る読み取り装置を備えた通帳プリンタと、顧客の取引内容を順次取得して格納すると共に、顧客の取引内容毎に通帳の印字に使用する印字色を登録した上位装置を備え、該上位装置は、前記取得した取引内容と、取引内容毎に使用する前記登録した印字色とを対比し、取得した取引内容が登録した印字色に一致するとき、前記取引内容を登録した印字色での印字を指示する。
【発明の効果】
【０００７】
本発明は、以上の構成を備えるため、顧客が指定した条件に応じて印字色を変更することのできる通帳印字システムを提供することができる。
【発明を実施するための最良の形態】
【０００８】
以下、最良の実施形態を添付図面を参照しながら説明する。図１は、本実施形態に係るインクジェット通帳プリンタを説明する図である。図において、２４はインクジェット通帳プリンタ、１は上位装置であり、回線インターフェースを介して通帳プリンタ２４と接続する。なお、通帳プリンタ２４は内蔵したプログラムにより各種の制御が行われる。
【０００９】
２は磁気ヘッドであり、通帳に書き込まれた磁気情報を読み取り、また、新たに磁気情報を書き込む。３は搬送モータであり、取り込んだ通帳を所定位置に搬送する。４は例えばインクジェット式の印字ヘッドであり、上位装置１に指示のもとに通帳に所定の印字色で印字を行う。５はイメージリーダであり、印字行数、バーコード、あるいは印字色の識別を行う。６は通帳の頁替えを行う自動頁替機構である。
【００１０】
図２は、通帳印字システムを説明する図である。ホストコンピュータ（上位装置）２１には、情報格納サーバ２２、オペレータ入力用装置２３がネットワークにより接続されている。また、オペレータ入力装置２３と通帳プリンタ２４は専用線により接続されている。
【００１１】
ここで、顧客は、新規口座あるいは新規通帳発行時に、通帳に印字する印字色に関する条件を、例えばオペレータが操作するオペレータ入力装置２３を介して情報格納サーバ２２に登録する。印字色に関する情報は、例えば、顧客口座番号に対応する形で、取引内容毎に使用する印字色を登録する。また未登録の顧客に対しては未登録であることを登録しておく。
【００１２】
ホストコンピュータは、プリンタ２４に印字指令を発する際に、情報格納サーバ２２を参照して使用する印字色を取得し、取得した印字色データを印字データと共に通帳プリンタ送信して印字指示を行う。
【００１３】
図３は、印字色の指定処理を説明する図である。まず、顧客が通帳２０を通等プリンタ２４にセットする。通帳プリンタ２４は前記通帳の口座番号を読み取り、読み取った口座番号をオペレータ入力装置２３を介してホストコンピュータ２１に伝送する。ホストコンピュータ２１は情報格納サーバ２２に格納したデータを参照して、使用する印字色（例えば、口座番号１２３４５の顧客の通帳の場合は、使用する印字色は「赤」）を取得し、取得した印字色データを前記オペレータ入力装置２３を介して通帳プリンタ２４に伝送する。なお、この例の場合は、情報格納サーバ２２に格納した印字色に関する、例えば顧客毎の印字色データを変更することにより任意の印字色で印字することができる。
【００１４】
図４は、図３の処理の詳細を説明する図である。まず、ステップ５０１において、新規口座開設あるいは新規通帳発行を行う際に、顧客の希望する印字色を調査し、取得した印字色データを、例えば顧客の口座番号毎に情報格納サーバ２２に格納する。ステップ５０２において、磁気ヘッド２により通帳に記入した口座番号を含む磁気情報を読み取り、ステップ５０３において、読み取った口座番号をもとに情報格納サーバ２２を参照する。ステップ５０４において、読み取った口座番号に対応する印字色データが登録されているか否かを判別し、登録されている場合はステップ５０５に進み、登録された印字色データを読み出す。登録されていない場合はステップ５０６に進み印字色データをデフォルト値に設定する。
【００１５】
ステップ５０７において、読み出した印字色データあるいはデフォルト値を印字色を指定するデータとして通帳プリンタ２４に転送する。ステップ５０８において、通帳プリンタ２４により印刷を実行する。
【００１６】
なお、ステップ５０６において、登録データが存在しない場合は、オペレータ入力装置画面にガイダンス表示を行い、通帳印字色の登録を促す旨の表示を行ってもよい。また、印字色は、通帳に印字する印字内容（金額等）をもとに、例えば一定金額を越えた、あるいは特定の取引条件が成立したとき印字色を変更するように構成してもよい。これにより視認性を改善することが可能となる。また多様化する顧客の嗜好に沿った印字色での通帳印字が実施でき、サービス性向上も可能となる。
【００１７】
図５は、印字色の指定処理の他の例を説明する図である。まず、顧客が通帳を通等プリンタ２４にセットする。通帳プリンタ２４は前記通帳の口座番号を読み取り、更にセットされた通帳種別及び通帳の頁を読み取る。次いで、読み取った口座番号、通帳種別及び通帳の頁情報をオペレータ入力装置２３を介してホストコンピュータ２１に伝送する。
【００１８】
ホストコンピュータ２１は情報格納サーバ２２に格納したデータを参照して、使用する印字色（例えば、口座番号１２３４５の顧客の総合通帳１頁の普通口座の場合は、使用する印字色は「赤」）のデータを取得し、取得した印字色データを前記オペレータ入力装置２３を介して通帳プリンタ２４に伝送する。
【００１９】
図６は、図５の処理の詳細を説明する図である。まず、ステップ７０１において、新規口座開設あるいは新規通帳発行を行う際に、顧客の希望する通帳印字色を口座番号、通帳の種別毎、頁毎に調査し、取得した印字色データを情報格納サーバ２２に格納する。ステップ７０２において、磁気ヘッド２あるいはイメージリーダ５により通帳に記入した口座番号、通帳種別、頁を含む情報を読み取り、ステップ７０３において、読み取った口座番号、通帳種別、頁の情報をもとに、情報格納サーバ２２を参照する。ステップ７０４において、読み取った口座番号、通帳種別、頁の情報に対応する印字色データが登録されているか否かを判別し、登録されている場合はステップ７０５に進み、登録された印字色データを読み出す。登録されていない場合はステップ７０６に進み、印字色データをデフォルト値に設定する。
【００２０】
ステップ７０７において、読み出した印字色データあるいはデフォルト値を印字色データとして通帳プリンタ２４に伝送する。ステップ７０８において、通帳プリンタ２４により印刷を実行する。
【００２１】
なお、図５，６に示す例においては、口座番号、通帳種別、頁を読み取り、読み取った口座番号、通帳種別、頁をもとに情報格納サーバを参照して印字色を特定する例について説明したが、情報格納サーバ２２に通帳の種別毎、科目毎、あるいは頁毎に印字色を格納しておき、読み取った通帳の種別、科目、あるいは頁の情報をもとに印字色を特定することもできる。
【００２２】
図７は、印字色の指定処理の更に他の例を説明する図である。まず、図７（ａ）に示すように、未記帳の取引データ８１を情報格納サーバ２２に順次格納する。次に、格納した取引データにおける取引先を例えば１ヶ月単位として登録し、図７（ｂ）に示す登録済み取引先データ８２を生成する。このとき蓄積する取引先データ８２は、例えば最大過去３ヶ月とし、それ以後は古いデータを削除した後、新しいデータを追加するとよい。
【００２３】
次に、記帳すべき現在の未取引取引先データ８１と登録済み取引先データ８２とを比較する。記帳すべき現在の未取引取引先データ８１における取引先が登録済み取引先データ８２に存在する場合は、通常の印字色（例えば黒）で印字する。また、記帳すべき現在の未取引取引先データ８１における取引先が登録済み取引先データ８２に存在しない場合（図の例ではＺ信販）は、前記取引先は過去に実績のない取引先であると判断して、通常の印字色とは異なる色（例えば赤）で印字する。なお、登録済み取引先データ８２は未記帳の取引データ８１の記帳後に更新し、更新後取引先データ８４を得る。
【００２４】
図８は、図７の処理の詳細を説明する図である。ステップ９０１において、顧客との取引データが過去１ヶ月分以上存在するか否かを判断し、取引データが１ヶ月に満たない場合は、ステップ９０５において印字色をデフォルト値に設定する。
【００２５】
顧客との取引データが過去１ヶ月分以上存在する場合は、ステップ９０２、９０３において、取引データ毎に、該取引先が登録済み取引先データ８２として登録されている否かを判断し、取引先が登録済み取引先データ８２として登録されている場合は、ステップ９０５において印字色をデフォルト値に設定する。ステップ９０２，９０３において取引先が登録済み取引先データ８２として登録されていない場合は、ステップ９０４において印字色の変更を通帳プリンタに対して指示する。ステップ９０６において通帳プリンタに対して取引データの印字を指示する。
【００２６】
ステップ９０７において、１ヶ月分の取引データの印字処理が終了したか否かを判断し、終了した場合はステップ９０８において登録済み取引先データの更新処理を行い、ステップ９０９において、全ての取引データの印字処理が終了したか否かを判断し、終了した場合は処理を終了する。なお、ステップ９０７，９０９において印字処理が終了しない場合はステップ９０２に戻る。このように、未記帳の取引データ毎に取引先が登録済み取引先データ８２として登録されている否かをホストコンピュータにより判断し、取引先が登録済み取引先データ８２として登録されていない（この取引先は新規取引先）と判断した場合は、その取引のみ印字色を変更して印字するので、顧客に注意を喚起することができる。
【００２７】
以上説明したように、本実施形態によれば、印字色を自在に変更することができ、視認性の大幅な向上が可能となる。また、通常取引と新規取引で印字色を変更することにより顧客に取引内容に対する注意を喚起することができる。
【図面の簡単な説明】
【００２８】
【図１】本発明の実施形態に係るインクジェット通帳プリンタを説明する図である。
【図２】通帳印字システムを説明する図である。
【図３】印字色の指定処理を説明する図である。
【図４】図３の処理の詳細を説明する図である。
【図５】印字色の指定処理の他の例を説明する図である。
【図６】図５の処理の詳細を説明する図である。
【図７】印字色の指定処理の更に他の例を説明する図である。
【図８】図７の処理の詳細を説明する図である。
【符号の説明】
【００２９】
１  上位装置
２  磁気ヘッド
３  搬送モータ
４  インクジェット式印字へッド
５  イメージリーダー
６  自動頁替機構
２０  通帳
２１  ホストコンピュータ
２２  情報格納サーバ
２３  オペレータ入力装置
２４  通帳プリンタ
【図１】
2005165758.tif 000003
【図２】
2005165758.tif 000004
【図３】
2005165758.tif 000005
【図４】
2005165758.tif 000006
【図５】
2005165758.tif 000007
【図６】
2005165758.tif 000008
【図７】
2005165758.tif 000009
【図８】
2005165758.tif 000010